(57)【特許請求の範囲】
【請求項１】
洗面器の上部にキャビネットを設置してなる洗面化粧台において、前記キャビネットに形成した収納部の開口部に開閉自在に設けられた扉の下部側に下通気孔を開設したキャビネットの扉構造であって、前記扉の前面を、上部側に対して下部側が前方に突出するように斜面状に構成し、少なくとも扉の下端部を上記開口部の前面より前方に突出させ、前記下通気孔を扉の底面に設けたことを特徴とするキャビネットの扉構造。
【請求項２】
上記下通気孔を人の手指の先端が入る程度の大きさに形成し、該通気孔を扉開閉用の把手としたことを特徴とする請求項１記載のキャビネットの扉構造。
【発明の詳細な説明】
【０００１】
【発明の属する技術分野】
本発明は、洗面室、台所、浴室等で使用される収納キャビネットに関し、特に洗面化粧台に設置されるミラーキャビネットに好適な扉構造に関するものである。
【０００２】
【従来の技術】
従来の洗面化粧台は、実公平２−１６７０８号（図６）のように、洗面台Ａの上部側にミラーキャビネットＢを設け、ミラーキャビネットＢの下部に形成された収納部Ｃの前側に扉Ｄを開閉自在に設けている。扉Ｄの裏には歯ブラシ立てＥを一体的に形成し、使用後の歯ブラシＦをそこに収め乾燥させるようにしている。そのため、収納部内の湿気を排除する必要が有り、扉Ｄの上下に通気孔Ｇを設けている。
【０００３】
【発明が解決しようとする課題】
しかし、従来例では、扉Ｄの前面側の上下に通気孔Ｇを設けていたので、外観の意匠性が低下していた。また、意匠性を損なわないように通気孔Ｇをできるだけ小さくする必要があり、そのため収納部内の換気性能が小さく、収納物や収納部内がよく乾かずにカビが発生してしまうという問題があった。
そこで、本発明は、収納部の外観をすっきりさせて意匠性を向上させると共に収納部内の換気を良好に行えるキャビネットを提供することを目的とする。
【０００４】
【課題を解決するための手段】
本発明は、洗面器の上部にキャビネットを設置してなる洗面化粧台において、前記キャビネットに形成した収納部の開口部に開閉自在に設けられた扉の下部側に下通気孔を開設したキャビネットの扉構造であって、前記扉の前面を、上部側に対して下部側が前方に突出するように斜面状に構成し、少なくとも扉の下端部を上記開口部の前面より前方に突出させ、前記下通気孔を扉の底面に設けたことを特徴とする。
【０００５】
扉の前面側に下通気孔を形成しないので、扉の外観がすっきりし意匠性が向上する。
扉の下端部を収納部の開口部の前面より前方に突出させたので、下通気孔を大きく形成することができ、収納部内の換気性能が向上する。
【０００６】
扉の前面を、上部側に対して下部側が前方に突出するように斜面状に構成したので、下通気孔を大きく形成することができ、収納部内の換気性能が向上する。また、扉の下端部が洗面器の直上に位置するので、扉への跳ね水を洗面器に直接落とすことができ、水垢などの発生が無くなる。
【０００７】
また、上記した下通気孔を人の手指の先端が入る程度の大きさに形成し、通気孔を扉開閉用の把手とすることができる。
それによると、扉の把手を外観に現れないところに形成したので、すっきりとした外観となり意匠性が向上する。
【０００８】
【発明の実施の形態】
本発明の第１の実施の形態を図に基づいて説明する。
図２及び図３に示すように、洗面化粧台１は、床に設置されるフロアキャビネット２の上部に洗面器３が固着され、その上部にミラーキャビネット４を壁面に固定させて設置したものである。
ミラーキャビネット４は合成樹脂で本体４ａを形成され、上部に照明具５を設け、中央に鏡６を設け、鏡６の側方に着脱自在な棚７を設け、鏡６の下方のパネル部８に吐水操作用ハンドル９ａ及びシャワー水栓９ｂからなる水栓装置９を設けている。そして、パネル部８の側方に収納部１０を形成し、その前面の開口部１０ａを扉１１で開閉自在としている。
図１に示すように、収納部１０はミラーキャビネット本体４ａと合成樹脂で一体形成されている。扉１１の上下端部に形成した上面１１ａ及び底面１１ｂにそれぞれ支持軸１１ｃを形成し、収納部１０の開口部１０ａの近傍に支持軸１１ｃを嵌め込んで扉１１を開閉自在にしている。
【０００９】
図４に示すように、扉１１は合成樹脂で形成され、その表面は、上部側を平坦にし下部側に向かうにつれて前方側（洗面器側）に円弧を張り出すような湾曲形状としている。また、扉１１の前面上部に上通気孔１２を形成し、扉１１の底面１１ｂに下通気孔１３を開口形成している。下通気孔１３は、最大奥行き寸法を約１０ｍｍ、横幅を約５０ｍｍとして形成して、人の手指の先端を挿入可能な大きさとされている。
扉１１の下部は、前方に突出するように湾曲状に形成されているので、扉１１の下端部は収納部１０の開口部１０ａよりも前方に突出する形態となっている。そのため、洗面化粧台１での水作業時に水が扉１１の前面に飛び跳ねても、その水は扉１１の前面を伝って洗面器３に直接落ちる。
【００１０】
この収納部１０を開放するときは、扉１１の底面１１ｂに形成された下通気孔１３に手指の先を挿入して、前方側（洗面器側）に引くと扉１１が開き、収納部１０の開口部１０ａから歯ブラシ等の出し入れをすることができる。
なお、扉１１の底面１１ｂ及び上部に通気孔１２，１３が形成されているので、下通気孔１３から収納部内を通って上通気孔１２に抜ける換気流路が形成されるので、収納部内の換気は良好に行われる。その場合、下通気孔１３を扉１１の前面に形成するのに比べて大きく形成されているので、換気の性能は従来技術より向上する。
【００１１】
以上説明したように、この実施の形態においては、収納部１０の扉１１の底面１１ｂに下通気孔１３を開口形成したので、通気孔の面積が大きくなり収納部内の換気性能を向上することができ、さらに扉１１の外観がすっきりし意匠性が向上する。
また、扉１１表面に付着した跳ね水は扉１１の下端部から直接洗面器３に落ちるので、開口部１０ａと扉１１との間に水が溜まって水垢が付着するようなことがなく、清潔である。また、従来技術のように扉の前面に形成された下通気孔は小さいため水が溜まりやすかったが、この発明では下通気孔に水が溜まることがなく水垢が付着せず、清潔である。
【００１２】
次に、本発明の第２の実施の形態を図５に基づいて説明する。なお、先の実施の形態と同一の構成については同じ符号を付し、その説明を省いた。
この例では、収納部１０の扉２１の全体を平面視で円弧を描くような湾曲形状とし、扉２１の上面２１ａ及び底面２１ｂにそれぞれ上通気孔２２、下通気孔２３を開口形成している。
そのため、扉１１の前面には通気孔が露出せず、すっきりした外観が得られるため意匠性が向上する。上通気孔２２を下通気孔２３と同様大きく形成することができるので、上通気孔２２に手指を引っ掛けて扉開閉の把手として使用することができる。
【００１３】
なお、本発明の実施の形態として洗面化粧台の示したが、これに限らず浴室用収納キャビネットや台所用キャビネットなどに本発明を適用することができる。
【００１４】
【発明の効果】
本発明は、収納部の扉の底面に下通気孔を開口形成したので、扉の外観がすっきりとし意匠性が向上する。
また、扉の底面に形成した下通気孔の面積を大きくして収納部内の換気性能を向上させることができる。
さらに、扉表面に付着した跳ね水は扉の下端部から直接洗面器に落ちるので、開口部と扉との間や下通気孔に水が溜まって水垢が付着するようなことがなく、清潔である。
また、扉の把手を外観に現れないところに形成したので、すっきりとした外観となりさらに意匠性が向上する。
【図面の簡単な説明】
【図１】本発明の扉の第１の実施の形態を示す収納部の断面図である。
【図２】図１の扉を使用した洗面化粧台の斜視図である。
【図３】図２の洗面化粧台の（ａ）正面図及び（ｂ）右側面図である。
【図４】扉の詳細図であり、（ａ）は平面図、（ｂ）は正面図、（ｃ）は（ｂ）の中央縦断面図、（ｄ）は底面図である。
【図５】扉の第２の実施の形態を示す収納部の断面図である。
【図６】従来技術の洗面化粧台の収納部を示す図である。
【符号の説明】
１…洗面化粧台、３…洗面器、４…ミラーキャビネット、１０…収納部、１０ａ…開口部、１１…扉、１３…下通気孔、２１…扉、２３…下通気孔
【図１】
0003613310.tif 000002
【図２】
0003613310.tif 000003
【図３】
0003613310.tif 000004
【図４】
0003613310.tif 000005
【図５】
0003613310.tif 000006
【図６】
0003613310.tif 000007